(57)【要約】【解決手段】台座上に刃体４を設けた刃部材３と、剃刀ヘッド２の裏側にある刃台部材５と、剃刀ヘッド２の表側にある天部材６とを備えている。刃部材３を刃台部材５と天部材６との間に嵌め込んで、刃部材３の台座を刃台部材５上に支持するとともに、刃部材３の刃体４の刃先４ａを天部材６で露出させている。刃部材３の台座は刃部材３の刃体４が膚面に当てがわれた際に刃体４に与えられる押圧力に抗して板ばねにより弾性的に動き得る。【効果】膚面に対する刃体４の接触圧を制限して剃り味を向上させるとともに、台座上に刃体４を設けた単品の刃部材３を刃台部材５と天部材６との間に嵌め込んで刃体４が弾性的に動き得るようにして刃体支持構造を簡略化することができる。【選択図】図５
2007215590.tif 000002
【特許請求の範囲】
【請求項１】
刃体を有する剃刀ヘッドを備えた剃刀において、
台座上に刃体を設けた刃部材と、剃刀ヘッドの裏側にある刃台部材と、剃刀ヘッドの表側にある天部材とを備え、この刃部材をこの刃台部材と天部材との間に嵌め込んで、刃部材の台座を刃台部材上に支持するとともに、刃部材の刃体の刃先を天部材で露出させ、
この刃部材の台座はこの刃部材の刃体が膚面に当てがわれた際に刃体に与えられる押圧力に抗して弾性的に動き得る
ことを特徴とする剃刀。
【請求項２】
刃体を有する剃刀ヘッドを備えた剃刀において、一体成形した台座上に刃体を取着した刃部材を剃刀ヘッドの裏側にある刃台部材上に支持するとともに、剃刀ヘッドの表側で露出する刃体の刃先とともに膚面に当てがわれる膚面接触部を設け、この刃部材の刃体は刃体の刃先の延設方向に対し直交する前後方向でこの刃部材の台座に複数並べられ、この刃部材の台座は、この刃部材の各刃体が膚面に当てがわれた際に各刃体に与えられる押圧力に抗して一体的に動くように、弾性的に動き得ることを特徴とする剃刀。
【請求項３】
刃体の刃先の延設方向に対し直交する前後方向の両側のうち刃先の前方にある前側の膚面接触部と刃先の後方にある後側の膚面接触部とを有し、前記刃部材の台座はこの前側の膚面接触部と後側の膚面接触部とを結ぶひげ剃り接線面に対し直交する方向へ弾性的に動き得ることを特徴とする請求項１または請求項２に記載の剃刀。
【請求項４】
前記刃部材において台座は、刃台部材上に載置されて支持された載置台と、この載置台に設けた相対向両載置体間に架設した刃体支持部とを有し、この載置台の相対向両載置体に弾性体を設けたことを特徴とする請求項１または請求項２または請求項３に記載の剃刀。
【請求項５】
前記刃体支持部と前記弾性体としての両ばねとが一体に成形されていることを特徴とする請求項４に記載の剃刀。
【請求項６】
前記弾性体は板ばねであることを特徴とする請求項４または請求項５に記載の剃刀。
【請求項７】
前記刃部材の台座において刃体支持部は、刃体の刃先の延設方向に対し直交する前後方向で階段状に並設された複数の刃体取着部を有し、この各刃体取着部に刃体が載置されて取着され、この各刃体が各刃体取着部とともに一体的に動くことを特徴とする請求項４または請求項５または請求項６に記載の剃刀。
【請求項８】
前記両板ばねは前記刃台部材上の両側に載置されて支持された両脚部を有し、この両板ばねと刃台部材との間には撓み許容空間を有していることを特徴とする請求項７に記載の剃刀。
【請求項９】
前記刃部材において台座の刃体支持部に対し刃体を溶接により取着したことを特徴とする請求項４から請求項８のうちいずれかの請求項に記載の剃刀。
【請求項１０】
前記刃台部材は前記刃部材の台座が載置されて支持された台板を有し、この台板は台座や刃体よりもイオン化傾向の高い金属により成形されていることを特徴とする請求項１から請求項９のうちいずれかの請求項に記載の剃刀。
【発明の詳細な説明】
【技術分野】
【０００１】
本発明は、刃体を有する剃刀ヘッドを備えた剃刀において、その剃刀ヘッド内で刃体
を支持する構造に関するものである。
【背景技術】
【０００２】
下記特許文献１で開示された従来の刃体可動式安全剃刀は、下記の構成を有している。
刃台において前側のガードと左右両側枠部と後枠部とからなる枠体内の孔で延設された複数の弾性腕にそれぞれ刃体載置部が連結され、これらの刃体載置部のうち前側の左右両刃体載置部に前側の刃体が載置されているとともに後側の左右両刃体載置部に後側の刃体が載置されている。この前後両刃体は、刃台の枠体内の孔で、刃台上に重ねられた天板の前後両挟着部と各刃体載置部との間で挟着され、各弾性腕の弾性に抗して各刃体載置部や天板とともに弾性的に動き得る。
【特許文献１】特許第２９６３８２４号公報
【発明の開示】
【発明が解決しようとする課題】
【０００３】
上記特許文献１における刃体支持構造については、刃台の枠体内の孔で各弾性腕に連結された各刃体載置部と天板の前後両挟着部との間で前後両刃体が挟着され、刃台における各弾性腕及び各刃体載置部の成形が面倒であるとともに天板も動くため、その構造が複雑になる問題があった。
【０００４】
この発明は、剃刀において剃り味を向上させるとともに、刃体が弾性的に動き得る刃体支持構造を簡略化することを目的としている。
【課題を解決するための手段】
【０００５】
後記実施形態の図面（図１〜９）の符号を援用して本発明を説明する。
請求項１の発明にかかる剃刀は、下記のように構成されている。
刃体４を有する剃刀ヘッド２を備えた剃刀１において、台座７上に刃体４を設けた刃部材３と、剃刀ヘッド２の裏側にある刃台部材５と、剃刀ヘッド２の表側にある天部材６とを備えている。この刃部材３をこの刃台部材５と天部材６との間に嵌め込んで、刃部材３の台座７を刃台部材５上に支持するとともに、刃部材３の刃体４の刃先４ａを天部材６で露出させている。この刃部材３の台座７はこの刃部材３の刃体４が膚面に当てがわれた際に刃体４に与えられる押圧力に抗して弾性的に動き得る。
【０００６】
請求項１の発明では、膚面に対する刃体４の接触圧を制限して剃り味を向上させるとともに、台座７上に刃体４を設けた単品の刃部材３を刃台部材５と天部材６との間に嵌め込んで刃体４が弾性的に動き得るようにして刃体支持構造を簡略化することができる。ここに単品とは、刃部材３の刃体４と台座７とを溶接等により互いに取着するばかりでなく、刃部材３の刃体４と台座７とを一体成形する場合も含み、刃部材３を刃台部材５と天部材６とに対し別に設けたことを意味する。
【０００７】
請求項２の発明にかかる剃刀は、下記のように構成されている。
刃体４を有する剃刀ヘッド２を備えた剃刀において、一体成形した台座７上に刃体４を取着した刃部材３を剃刀ヘッド２の裏側にある刃台部材５上に支持するとともに、剃刀ヘッド２の表側で露出する刃体４の刃先４ａとともに膚面に当てがわれる膚面接触部３３を設けている。この刃部材３の刃体４は刃体４の刃先４ａの延設方向に対し直交する前後方向Ｘでこの刃部材３の台座７に複数並べられている。この刃部材３の台座７は、この刃部材３の各刃体４が膚面に当てがわれた際に各刃体４に与えられる押圧力に抗して一体的に動くように、弾性的に動き得る。
【０００８】
請求項２の発明では、膚面に対する各刃体４の接触圧を制限して剃り味を向上させるとともに、一体成形した台座７上に取着した各刃体４が一体的に動くようにして刃体支持構造を簡略化することができる。
【０００９】
請求項１または請求項２の発明を前提とする請求項３の発明において、刃体４の刃先４ａの延設方向に対し直交する前後方向Ｘの両側のうち刃先４ａの前方にある前側の膚面接触部３３と刃先４ａの後方にある後側の膚面接触部３３とを有し、前記刃部材３の台座７はこの前側の膚面接触部３３と後側の膚面接触部３３とを結ぶひげ剃り接線面３４に対し直交する方向Ｚへ弾性的に動き得る。請求項３の発明では、膚面に対する刃体４の接触圧を確実に制限して剃り味をより一層向上させることができる。
【００１０】
請求項１または請求項２または請求項３の発明を前提とする請求項４の発明において、前記刃部材３で台座７は、刃台部材５上に載置されて支持された載置台８と、この載置台８に設けた相対向両載置体９間に架設した刃体支持部１０とを有し、この載置台８の相対向両載置体に弾性体９を設けている。
【００１１】
請求項４の発明を前提とする請求項５の発明において、前記刃体支持部１０と前記弾性体としての両ばね９とが一体に成形されている。
請求項４または請求項５の発明を前提とする請求項６の発明において、前記弾性体は板ばね９である。
【００１２】
請求項４〜６の発明では、刃部材３を簡単な構造にすることができる。
請求項４または請求項５または請求項６の発明を前提とする請求項７の発明において、前記刃部材３の台座７で刃体支持部１０は、刃体４の刃先４ａの延設方向に対し直交する前後方向Ｘで階段状に並設された複数の刃体取着部１６を有し、この各刃体取着部１６に刃体４が載置されて取着され、この各刃体４が各刃体取着部１６とともに一体的に動く。請求項７の発明では、各刃体４が一体的に動くようにした刃体支持構造を簡略化することができる。
【００１３】
請求項７の発明を前提とする請求項８の発明において、前記両板ばね９は前記刃台部材５上の両側に載置されて支持された両脚部１２を有し、この両板ばね９と刃台部材５との間には撓み許容空間１３を有している。請求項８の発明では、板ばね９を簡単な構造にすることができる。
【００１４】
請求項４から請求項８のうちいずれかの請求項の発明を前提とする請求項９の発明において、前記刃部材３で台座７の刃体支持部１０に対し刃体４を溶接により取着している。請求項９の発明では、刃体４を台座７の刃体支持部１０に簡単に取着することができる。
【００１５】
請求項１から請求項９のうちいずれかの請求項の発明を前提とする請求項１０の発明において、前記刃台部材５は前記刃部材３の台座７が載置されて支持された台板２３を有し、この台板２３は台座７や刃体４よりもイオン化傾向の高い金属により成形されている。請求項１０の発明では、台板２３を刃体４よりも先に酸化させて刃体４の錆を防ぐことができる。
【発明の効果】
【００１６】
本発明は、剃刀において剃り味を向上させるとともに、刃体４が弾性的に動き得る刃体支持構造を簡略化することができる。
【発明を実施するための最良の形態】
【００１７】
以下、本発明の一実施形態にかかる首振り式剃刀について図面を参照して説明する。
図１（ａ）（ｂ）に示す首振り式剃刀１の剃刀ヘッド２においては、図２、図３（ａ）（ｂ）（ｃ）、図４（ａ）（ｂ）（ｃ）（ｄ）、図５（ａ）（ｂ）及び図６（ａ）（ｂ）に示すように、金属（例えばマルテンサイト系ステンレス鋼）からなる複数（２枚以上例えば４枚）の刃体４（例えば板厚０．０５〜０．３ｍｍ）を有する刃部材３が裏側の刃台部材５と表側の天部材６との間に嵌め込まれている。
【００１８】
前記剃刀ヘッド２の刃部材３において台座７は、金属（例えばオーステナイト系ステンレス鋼）の板材（例えば板厚０．１〜０．５ｍｍ）をプレス加工することにより一体成形され、刃体４の刃先４ａの延設方向に対し直交する前後方向Ｘの両側に配設された支持縁部としての載置体である前後両板ばね９からなる載置台８と、この前後両板ばね９間に架設された刃体支持部１０とからなる。この前後両板ばね９においては、刃体４の刃先４ａの延設方向に沿う左右方向Ｙへ延びる支持板１１の左右両端部から脚部としての脚板１２が刃台部材５側へ屈曲され、この支持板１１と左右両脚板１２との間に撓み許容空間１３が設けられている。ちなみに、この台座７の前後方向寸法は約９ｍｍであり、この台座７の左右方向寸法は約３４ｍｍである。
【００１９】
前記台座７の刃体支持部１０においては、刃体取着板１４の前後両縁部から複数（４本）の架設腕部１５が突出して左右方向Ｙへ並び、その各架設腕部１５が前記前後両板ばね９側へ屈曲されてこの前後両板ばね９の支持板１１に対し一体成形され、刃体取着板１４の内側に空間が生じるようになっている。この刃体支持部１０の刃体取着板１４においては、左右方向Ｙへ延設された複数（４枚）の刃体取着部である段板１６が階段状をなすように前後方向Ｘへ並設され、互いに隣接する前後両段板１６間で複数の貫通孔１７が左右方向Ｙへ並設されている。この各貫通孔１７で左右方向Ｙの寸法については、強度を考慮して、左右方向Ｙの中央部側にある貫通孔１７ほど小さくなっている。
【００２０】
前記台座７で載置台８の内側に設けられたひげかす排除孔１８は、載置台８の裏側にある裏側開口１９と、載置台８の表側にある表側開口２０とにより、載置台８の外側に開放されている。この裏側開口１９は、前記前後両板ばね９の左右両脚板１２の端部１２ａ間を結ぶ平面上でこれらの端部１２ａにより囲まれた空間である。この表側開口２０は、前記刃体取着板１４の各貫通孔１７や、その刃体取着板１４の前後両縁部及び左右両縁部の外周空間である。そのほか、このひげかす排除孔１８は、前後両板ばね９からなる載置台８の前後両側及び左右両側で載置台８の外側に開放されている。
【００２１】
前記刃体支持部１０の刃体取着板１４における各段板１６上にはそれぞれ刃体４が左右方向Ｙへ延びるように載置されてレーザ溶接により取着されている。各刃体４はこの刃体取着板１４上で階段状に配置され、各刃体４の刃先４ａが各段板１６から前方へ突出している。互いに隣接する前後両刃体４において後側の刃体４の刃先４ａを通る厚み方向線の付近に前側の刃体４の後縁部４ｂが位置し、その刃先４ａと後縁部４ｂとの間には隙間２１が前記刃体取着板１４の各貫通孔１７に面して形成されている。
【００２２】
前記刃台部材５は、プラスチックからなる底台２２と、アルミニウムからなる台板２３（板厚０．３ｍｍ程度）とからなる。この底台２２においては、枠部２４（縁部としての前枠部２４ａと後枠部２４ｂと左枠部２４ｃと右枠部２４ｄ）により囲まれたひげかす排除孔２５が形成されている。この左枠部２４ｃ及び右枠部２４ｄの内縁にはストッパ２４ｅが前記刃体支持部１０の刃体取着板１４側へ突設されている。この台板２３においては、枠部２６（前枠部２６ａと後枠部２６ｂと左枠部２６ｃと右枠部２６ｄ）により囲まれたひげかす排除孔でもある貫通孔２７が形成されている。この台板２３は底台２２の内側に載置され、台板２３の枠部２６が底台２２の枠部２４に重ねられるとともに、台板２３の貫通孔２７が底台２２のひげかす排除孔２５に重ねられて互いに連通する。
【００２３】
前記天部材６は、プラスチックからなり、枠部２８（縁部としての前枠部２８ａと後枠部２８ｂと左枠部２８ｃと右枠部２８ｄ）により囲まれた刃体露出孔２９を有している。この刃体露出孔２９の左右両縁部２９ａは左右方向Ｙの外側へ若干膨らむ弧状に形成されている。この前枠部２８ａにはシェービングエイドが取着されている。
【００２４】
前記刃台部材５と天部材６との間に前記刃部材３が嵌め込まれた状態で、この刃台部材５の枠部２４とこの天部材６の枠部２８とが互いに重ねられ、刃台部材５の前後両枠部２４ａ，２４ｂと天部材６の前後両枠部２８ａ，２８ｂとが左右両位置決め凹凸部３０（凹部３０ａと凸部３０ｂ）で互いに位置決めされるとともに、その左右両位置決め凹凸部３０間で刃台部材５の前後両枠部２４ａ，２４ｂと天部材６の前後両枠部２８ａ，２８ｂとに形成された複数の切欠き３１ａ，３１ｂが互いに重ねられて形成される複数の接着凹部３１に瞬間接着剤が塗布されまたは流し込まれて、この刃台部材５と天部材６とが互いに結合される。
【００２５】
前記刃台部材５と天部材６との間の前記刃部材３においては、台座７の前後両板ばね９の左右両脚板１２が刃台部材５の台板２３の前後両枠部２６ａ，２６ｂに載置され、台座７の前後両板ばね９が刃台部材５の底台２２の前後両枠部２４ａ，２４ｂの内側と天部材６の前後両枠部２８ａ，２８ｂの内側との間の間隙３２に挿入されて隠されるとともに、刃体支持部１０で前後方向Ｘへ階段状に並べられた各刃体４の左右両端部が刃台部材５の底台２２の左右両枠部２４ｃ，２４ｄの内側と天部材６の左右両枠部２８ｃ，２８ｄの内側との間に挿入されて前後両板ばね９の弾性力により天部材６の左右両枠部２８ｃ，２８ｄの内側に押さえ付けられている。この各刃体４の刃先４ａは、天部材６の前後両枠部２８ａ，２８ｂ上の膚面接触部３３を互いに結ぶひげ剃り接線面３４の付近に位置し、この各刃体４で刃先４ａと後縁部４ｂとを結ぶ方向はこのひげ剃り接線面３４に対し傾斜している。この各刃体４は刃体支持部１０とともにひげ剃り接線面３４に対し直交する方向Ｚへ前後両板ばね９の弾性力に抗して一体的に動き得る。ちなみに、前後両板ばね９はその方向Ｚの両側で前記間隙３２により隠されている。
【００２６】
前記刃部材３において台座７の載置台８内のひげかす排除孔１８は、裏側開口１９を通して刃台部材５における台板２３の貫通孔２７及び底台２２のひげかす排除孔２５に連通するとともに、表側開口２０を通して天部材６の刃体露出孔２９に連通する。
【００２７】
なお、前記天部材６と刃部材３と刃台部材５の底台２２及び台板２３とを互いに組み付ける際には、図４（ａ）に示すように天部材６の内側に対し刃部材３を重ねた後、図４（ｂ）に示すように刃部材３に台板２３を重ね、さらに図４（ｃ）に示すように台板２３に底台２２を重ねて天部材６に結合する。
【００２８】
図７（ａ）（ｂ）に示すシェービングエイド部材３５においては、プラスチックからなる台部材３６の表側にシェービングエイド３７（例えばクリームをスポンジ等の多孔質体に含ませたもの）が嵌め込まれて突出している。この台部材３６においては、左右方向Ｙの両側に両腕部３８が形成され、この左右両腕部３８の相対向面側で一方の腕部３８に片持ち梁状の板ばね３９が形成されている。図６（ａ）（ｂ）に示すように、このシェービングエイド部材３５において台部材３６とそれに嵌め込まれたシェービングエイド３７とは剃刀ヘッド２に対し後方に並ぶように配設され、この台部材３６の左右両腕部３８が剃刀ヘッド２の左右両側に対し回動中心線３８ａを中心に回動可能に支持されてシェービングエイド部材３５が剃刀ヘッド２に対しその表側と裏側とを結ぶ方向で板ばね３９の弾性力に抗して揺動し得る。
【００２９】
図８（ａ）（ｂ）に示すホルダ４０においては、頭部４１の左右両側から腕部である支持アーム４２とプッシャ４３とが互いに並んだ状態で突出している。前記剃刀ヘッド２の刃台部材５の底台２２において左右両枠部２４ｃ，２４ｄの裏側に支持部である左右両凹部４４が形成され、この左右両凹部４４間で前記ひげかす排除孔２５が開放されている。図９（ａ）（ｂ）に示すように、左右両支持アーム４２が左右両凹部４４に支持されるとともに左右両プッシャ４３がこの左右両凹部４４を押圧した状態で、剃刀ヘッド２がホルダ４０の頭部４１に対し着脱可能に支持される。剃刀ヘッド２は左右両支持アーム４２を中心に左右両プッシャ４３の弾性力に抗してシェービングエイド部材３５とともに首振りし得る。
【００３０】
図１（ａ）に示すように吸盤４６により壁面等に吸着された引掛具４５に対し前記ホルダ４０の頭部４１を支持して剃刀ヘッド２及び頭部４１を収容するとともに引掛具４５の覆部４５ａにより剃刀ヘッド２の上方を覆って水が剃刀ヘッド２に対し直接かからないようにした状態で首振り式剃刀１の全体を保持することができる。
【００３１】
天部材６の前後両膚面接触部３３を各刃体４とともに膚面に当てがった状態で首振り式剃刀１を使用すると、各刃体４に与えられる押圧力に抗して前後両板ばね９が撓んで各刃体４が弾性的に動く。図５（ａ）（ｂ）に示すように、刃体取着板１４と左右両ストッパ２４ｅとの間の初期隙間Ｇについては、好ましくは０．１〜１．２ｍｍの範囲に、この実施形態では０．５ｍｍに設定されているため、その初期隙間Ｇだけ刃体取着板１４が変位して左右両ストッパ２４ｅに当接すると、各刃体４が停止する。ちなみに、ひげ剃り接線面３４に対し直交する方向Ｚで刃体取着板１４に力を加えた際、刃体４の変位寸法が０．３ｍｍ程度の場合にはその力が８０〜１４０ｇｆになり、刃体４の変位が０．５ｍｍ程度の場合にはその力が１１０〜１７０ｇｆになることが好ましい。
【００３２】
各刃体４で生じたひげかすは、刃部材３で表側開口２０からひげかす排除孔１８に入って裏側開口１９から刃台部材５のひげかす排除孔２５に排除される。
図示しないが、前記各実施形態以外にも下記のように構成してもよい。
【００３３】
＊  ホルダに対し剃刀ヘッドを一体的に連結する。
＊  天部材の前後両膚面接触部を省略して前後両膚面接触部を刃台部材に設ける。天部材の前後両膚面接触部のうち天部材の前側膚面接触部を省略して前側膚面接触部を刃台部材に設ける。天部材の前後両膚面接触部のうち天部材の後側膚面接触部を省略して後側膚面接触部を刃台部材に設ける。
【００３４】
＊  載置台で前後両板ばねに加えて左右両板ばねも設ける。載置台で前後両板ばねを省略して左右両板ばねを設ける。
＊  弾性体としては、板ばね以外に、コイルばねやゴムなどを採用する。
【００３５】
＊  台座については複数本の棒材（例えば角材や丸材や異形材）を縦横に格子状に並べたものを折り曲げて形成することができる。
＊  前後両板ばねの左右両脚板において前後方向幅や厚みを変えてばね定数を変えることができる。また、各脚板でばね定数を互いに変えて各刃体が弾性的に動く変位を互いに変えることができる。
【００３６】
＊  各刃体において前縁部の刃先ばかりでなく後縁部にも刃先を設けてその後縁部の刃先を露出させる。
＊  刃部材の台座の刃体支持部において階段状の刃体取着板を前後一対設け、前側の刃体取着板で前方を向く各刃体の刃先を天部材の刃体露出孔に露出させるとともに、後側の刃体取着板で後方を向く各刃体の刃先を天部材の刃体露出孔に露出させる。
【００３７】
＊  刃部材の台座の刃体支持部において刃体の枚数を４枚以外に５枚や６枚や８枚に変更する。その際、階段状の刃体取着板を前後方向で二分割して前側の刃体取着板に適宜枚数の刃体を配置するとともに後側の刃体取着板に残りの刃体を配置する。また、二分割して前側の刃体取着板と後側の刃体取着板とを互いに取着してもよい。
【００３８】
次に、請求項以外の技術的思想を述べる。
請求項４の発明を前提とする第１１の発明において、前記刃体４は弾性体としての両ばね９間で台座７の刃体支持部１０上に載置されて取着されている。
【００３９】
請求項４または請求項５または第１１の発明を前提とする第１２の発明において、前記載置台８の相対向両載置体の弾性体としてのばね９は、前記刃台部材５と天部材６との間に隠されている。
【００４０】
第１１〜１２の発明では、刃部材３を簡単な構造にすることができる。
【図面の簡単な説明】
【００４１】
【図１】（ａ）は本実施形態にかかる首振り式剃刀を引掛具に保持した状態において裏側を示す斜視図であり、（ｂ）はその首振り式剃刀において表側を示す斜視図である。
【図２】上記首振り式剃刀の剃刀ヘッドを分解して示す斜視図である。
【図３】（ａ）は上記剃刀ヘッドで台座上に各刃体を取着した刃部材を示す分解斜視図であり、（ｂ）は同じく底台上に台板を載置した刃台部材を示す分解斜視図であり、（ｃ）は同じく刃台部材の台板上に刃部材の台座を載置した状態を示す分解斜視図である。
【図４】（ａ）は上記剃刀ヘッドで天部材に刃部材を嵌め込んだ状態を示す分解斜視図であり、（ｂ）は同じく天部材に刃部材及び台板を嵌め込んだ状態を示す分解斜視図であり、（ｃ）（ｄ）は上記剃刀ヘッドの全体を示す組付斜視図である。
【図５】（ａ）は図４（ｄ）のＡ−Ａ線拡大断面図であり、（ｂ）は図４（ｄ）のＢ−Ｂ線拡大断面図である。
【図６】（ａ）は上記剃刀ヘッドにシェービングエイド部材を取り付けた状態において表側を示す正面図であり、（ｂ）は同じく裏側を示す背面図である。
【図７】（ａ）は上記シェービングエイド部材の表側を示す正面図であり、（ｂ）は（ａ）の部分側面図である。
【図８】（ａ）は上記首振り式剃刀においてホルダの頭部を示す平面図であり、（ｂ）は同じく側面図である。
【図９】（ａ）は上記首振り式剃刀においてシェービングエイド部材を取り付けた剃刀ヘッドをホルダの頭部に支持した状態を示す側面図であり、（ｂ）は上記首振り式剃刀においてホルダの両支持アームに対する剃刀ヘッドの支持構造と剃刀ヘッドに対するホルダのプッシャの圧接構造とを示す部分断面図である。
【符号の説明】
【００４２】
１…首振り式剃刀、２…剃刀ヘッド、３…刃部材、４…刃体、４ａ…刃先、５…刃台部材、６…天部材、７…台座、８…載置台、９…載置体である弾性体としての板ばね、１０…刃体支持部、１２…脚部としての脚板、１３…撓み許容空間、１６…刃体取着部としての段板、２３…刃台部材の台板、３３…膚面接触部、３４…ひげそり接線面、Ｘ…前後方向、Ｙ…左右方向。
【図１】
2007215590.tif 000003
【図２】
2007215590.tif 000004
【図３】
2007215590.tif 000005
【図４】
2007215590.tif 000006
【図５】
2007215590.tif 000007
【図６】
2007215590.tif 000008
【図７】
2007215590.tif 000009
【図８】
2007215590.tif 000010
【図９】
2007215590.tif 000011